(57)【要約】【課題】  内容物を取り出した後、新たな開口部を容易に形成でき、洗浄および乾燥が容易になるパウチを提供する。【解決手段】  柔軟性基材から構成されたパウチ１であって、内容物を取り出すための第一の開封部２と、前記第一の開封部２と異なる位置に開口する第二の開封部３とを備えてなるパウチ１を用いる。前記第二の開封部３の一端３ａは、前記第一の開封部２の線上に位置しているか又は前記第一の開封部２に近接しており、前記第二の開封部３の他端３ｂは、パウチ１の周縁から離れた位置に設けられていることが好ましい。【選択図】  図１
2006111315.tif 000002
【特許請求の範囲】
【請求項１】
柔軟性基材から構成されたパウチであって、内容物を取り出すための第一の開封部と、前記第一の開封部と異なる位置に開口する第二の開封部とを備えたことを特徴とするパウチ。
【請求項２】
前記第二の開封部の一端は、前記第一の開封部の線上に位置しているか又は前記第一の開封部に近接しており、前記第二の開封部の他端は、パウチの周縁から離れた位置に設けられていることを特徴とする請求項１記載のパウチ。
【請求項３】
前記第一の開封部による開封の方向と、前記第二の開封部による開封の方向とがなす角度が、２０〜1６０°であることを特徴とする請求項１または２に記載のパウチ。
【請求項４】
前記第二の開封部の長さが前記パウチの横幅内寸法の１／３からサイドシール部までの範囲内であることを特徴とする請求項１ないし３のいずれかに記載のパウチ。
【発明の詳細な説明】
【技術分野】
【０００１】
本発明は、内容物を取り出した後に新たな開口部を設けることができ、洗浄および乾燥が容易になり、廃棄性に優れるパウチに関する。
【背景技術】
【０００２】
東京都の一部では、２００４年４月から家庭ゴミの個別収集および一部有料化が実施されている。今後、ゴミの減量化、生活者への環境意識向上を目指して、地方自治団体ごとに全国に展開することが予想される。
現在、家庭から排出される「燃やせるごみ（可燃ごみ）」と「燃やせないごみ（不燃ごみ）」は、市指定の収集袋（有料）に入れて排出することになっている。「燃やせるごみ」は、生ごみ（残飯、野菜、魚くず、貝殻、卵の殻等）、資源物にならない紙類（名刺より小さい紙、シュレッダーにかけた紙、ビニールコーティングしてある紙、カーボン・ノンカーボン紙、ティッシュペーパー、キッチンペーパー、感熱紙（レシート等）、油や塗料・汚物等で汚れた紙）、草木類が挙げられている。一方、「燃やせないごみ」は、金属・ガラス・陶器類、皮・ゴム類、資源にならないプラステック類、小型の電気製品等が挙げられる。
洗浄剤、食品等に使用されている詰め替えパウチ製品は、本体容器への詰め替えが終了した後、内容物がわずかでも付着した状態で廃棄する場合には、資源にならないプラスチック類となり、「燃やせないごみ」扱いとなり、有料ごみの対象となる。しかしながら、内容物をきれいに洗浄して乾燥した状態である場合には、資源ごみとして無料ごみ扱いとなる。
【０００３】
ところでパウチ製品は、注ぎ口を手で容易に開封できる方法として、形状の工夫およびミシン目のようなカット方法（レーザーカット、ストレートカットなど）が提案されている。パウチの上部コーナー部や中央部先端に抽出口が形成されたパウチは、本体容器に詰め替えしやすい工夫が多く提案されている（例えば特許文献１〜３参照）。
【特許文献１】実開平５−１３９５２号公報
【特許文献２】実開平５−８４６３９号公報
【特許文献３】特開平１１−３４９０１１号公報
【発明の開示】
【発明が解決しようとする課題】
【０００４】
本願発明者は、詰め替えパウチはどのような人が、どのような状況下で使うのかといった人間生活工学の視点から、さまざまな生活者を対象として家庭現場における行動観察を行った。その結果、多くの生活者は、詰め替えパウチを本体容器に詰め替えた後、パウチ内部にわずかに残った内容物を水洗いしていることが見受けられた。しかしながら、詰め替えしやすく設計されたパウチは、水洗いするときには口が狭いために水洗いしようとしても、水がなかなかパウチの内部に入っていかない。また、内容物が例えば洗剤等であると、パウチの中で泡立ったりしていることもあり、水洗いやすすぎに時間と手間が大いにかかり、水も無駄に消費されていた。さらに洗浄後も、洗剤の種類によっては内容物の臭いが手に残る場合もあり、気にしている様子も見受けられた。
【０００５】
水洗いをする前に、パウチの上部などをハサミで大きく切り取っておけば、洗浄や乾燥が行いやすくなるが、生活者は、「ハサミを準備するのが面倒である」、「使用後のハサミが汚れるために、ハサミを洗浄しなければならないのが面倒である」といった不満をもっていた。また、内容物の詰め替えを行う場所が例えば浴室、洗面所、トイレ、屋外などであり、そもそもハサミが備え付けられていないといった問題もある。
【０００６】
本発明は、上記事情に鑑みてなされたものであり、内容物を取り出した後、新たな開口部を容易に形成でき、洗浄および乾燥が容易になるパウチを提供することを課題とする。
【課題を解決するための手段】
【０００７】
前記課題を解決するため、本発明は、柔軟性基材から構成されたパウチであって、内容物を取り出すための第一の開封部と、前記第一の開封部と異なる位置に開口する第二の開封部とを備えたことを特徴とするパウチを提供する。
本発明のパウチにおいては、前記第二の開封部の一端は、前記第一の開封部の線上に位置しているか又は前記第一の開封部に近接しており、前記第二の開封部の他端は、パウチの周縁から離れた位置に設けられていることが好ましい。
前記第一の開封部による開封の方向と、前記第二の開封部による開封の方向とがなす角度が、２０〜1６０°であることが好ましい。
前記第二の開封部の長さは、前記パウチの横幅内寸法の１／３からサイドシール部までの範囲内であることが好ましい。
【発明の効果】
【０００８】
本発明のパウチによれば、第一の開封部を開封して内容物を取り出した後、第二の開封部を開封することにより、パウチに新たな開口部を容易に形成することができる。これにより、パウチの内側をきれいに洗浄して乾燥することができるので、使用済みのパウチをごみとして廃棄するときに適切な分別が可能となる。詰め替え時および廃棄時のいずれも手で容易に開封することができるため、ハサミやカッター等の刃物が不要である。パウチを資源ごみとして廃棄することができれば、パウチのリサイクルを促進することができる上、生活者の環境意識を高めることができる。
【発明を実施するための最良の形態】
【０００９】
以下、最良の形態に基づき、図面を参照して本発明を説明する。
図１は本発明のパウチの第１形態例を示す正面図であり、図２は本発明のパウチの第２形態例を示す正面図である。
これらのパウチ１は、柔軟性基材から構成されている。柔軟性基材としては、プラスチックフィルムを主体とする積層フィルムが主に用いられるが、特に限定はされず、例えば、各種液体用パウチに用いられる公知の積層フィルムはいずれも使用できる。
好ましく使用できる積層フィルムの代表例としては、以下に示すものがある。
【００１０】
（１）ＯＮフィルム／接着剤／Ｌ・ＬＤＰＥフィルム（シーラント層）
（２）ＯＮフィルム／接着剤／一軸延伸ＨＤＰＥフィルム／接着剤／Ｌ・ＬＤＰＥフィルム（シーラント層）
（３）ＯＮフィルム／接着剤／一軸延伸ＰＰフィルム／接着剤／Ｌ・ＬＤＰＥフィルム（シーラント層）
（４）ＯＮフィルム／接着剤／一軸延伸ＰＰフィルム／接着剤／アルミニウム箔／接着剤／Ｌ・ＬＤＰＥフィルム（シーラント層）
（５）ＯＮフィルム（シリカ蒸着層）／接着剤／一軸延伸ＨＤＰＥフィルム／接着剤／Ｌ・ＬＤＰＥフィルム（シーラント層）
（６）ＯＮフィルム／アンカーコート層／共押出しコート層（ＨＤＰＥ層／Ｌ・ＬＬＤＰＥ層）  ［シーラント層はＬ・ＬＤＰＥ層］
（７）ＯＮフィルム／アンカーコート層／共押出しコート層（ＨＤＰＥ層／ＬＬＤＰＥ層）／接着剤／Ｌ・ＬＤＰＥフィルム（シーラント層）
【００１１】
（８）ＰＥＴフィルム／接着剤／アルミニウム箔／接着剤／ＯＮフィルム／接着剤／Ｌ・ＬＤＰＥフィルム（シーラント層）
（９）ＰＥＴフィルム／接着剤／アルミニウム箔／接着剤／ＯＮフィルム／接着剤／ＣＰＰフィルム（シーラント層）
（１０）ＰＥＴフィルム／接着剤／ＯＮフィルム／接着剤／アルミニウム箔／接着剤／Ｌ・ＬＤＰＥフィルム（シーラント層）
（１１）ＰＥＴフィルム／接着剤／ＯＮフィルム／接着剤／アルミニウム箔／接着剤／ＣＰＰフィルム（シーラント層）
（１２）ＰＥＴフィルム／接着剤／ＥＶＯＨフィルム／接着剤／ＯＮフィルム／接着剤／ＣＰＰフィルム（シーラント層）
（１３）ＰＥＴフィルム／接着剤／ＯＮフィルム／接着剤／Ｌ・ＬＤＰＥフィルム（シーラント層）
【００１２】
ここで、ＯＮフィルムは二軸延伸ナイロンフィルムを表し、Ｌ・ＬＤＰＥは直鎖状低密度ポリエチレンを表し、ＨＤＰＥは高密度ポリエチレンを表し、ＬＤＰＥは低密度ポリエチレンを表し、ＰＰフィルムはポリプロピレンフィルムを表し、ＰＥＴフィルムは二軸延伸ポリエチレンテレフタレートフィルムを表し、ＣＰＰフィルムは無延伸ポリプロピレンフィルムを表し、ＥＶＯＨフィルムはエチレン―酢酸ビニル共重合体ケン化物フィルムを表す。
アンカーコート層とは、押出しコーティングで樹脂を積層する際に、接着性を向上させるために基材フィルム側に予めコーティングするものであり、プライマーコートの一種である。
【００１３】
パウチ１は、内容物を取り出すための第一の開封部２と、前記第一の開封部２とは異なる位置に開口する第二の開封部３とを備える。
図１，図２に示すパウチ１では、注ぎ口４がパウチ１の上縁部６と一方の側縁部５ａとの間にある隅部に突出した形状に設けられている。第一の開封部２は、注ぎ口４を横切る位置に設けられている。すなわち、第一の開封部２は、内容物を取り出すための注ぎ口４を開口するためのものである。
【００１４】
パウチ１は、店頭で棚や台の上などに見やすく陳列したり、開封前または開封後に床面や机の上などに置いたりすることができるように、自立性を備えたスタンディングパウチであることが好ましい。自立性を有するパウチの構造としては、パウチ１の下部（底部）が広がることにより載置面と３点以上で接触するようにできればよく、種々の構造が公知であり、いずれの構造も本発明に好ましく採用することができる。
なお、本発明は、自立性を持たないパウチにも適用可能である。
パウチ１の周縁には、パウチ１を構成する前記柔軟性基材が複数枚重ね合わされて熱シールされてなるシール部が形成されている。図１，図２に示すパウチ１では、シール部は、パウチ１の側縁部５ａ，５ｂに設けられたサイドシール部８ａと、パウチ１の底部に設けられたボトムシール部８ｂと、パウチ１の上縁部６に設けられたトップシール部８ｃを含む。なお、本発明が適用されるパウチとしては、その三方にシール部が設けられた三方シール袋、パウチの四方にシール部が設けられた四方シール袋など、種々の形態を用いることができる。
【００１５】
また、第二の開封部３は、パウチ１の幅方向に延在して形成されている。第二の開封部３は、内容物を取り出した後にパウチ１に新たな開口部を設けるためのものである。これにより、パウチを廃棄する前の洗浄や乾燥が容易になる。また、第二の開封部３は、パウチ１の内壁面に付着した残余の内容物を取り出すために用いることもできる。内容物をできるだけ多く取り出せれば、より多くの内容物を有効利用できるようになり内容物の無駄が少なくなる上、洗浄排水に混じって排出される内容物の量が低減され、環境負荷を抑制することもできる。
洗浄や乾燥等を容易にするためには、第二の開封部３はパウチ１を大きく開封させる好ましい。このため、第二の開封部３の長さＬ１は、パウチ１の横幅内寸法Ｌ２の１／３からサイドシール部８ａまでの範囲内であることが好ましい。これにより、洗浄や乾燥等を極めて容易に行うことができる。サイドシール部８ａの幅は、通常、３〜８ｍｍ程度である。
【００１６】
第一の開封部２および第二の開封部３は、開封性を向上するとともに開封方向を規制するために設けられるハーフカット線（弱化線）を積層フィルムの少なくとも一部に含むことによる。ハーフカット線は、公知の方法により形成することができるが、その方法をいくつか例示すれば、以下の（ア）〜（エ）のとおりである。
【００１７】
（ア）レーザー光照射によって積層フィルムの表面層のフィルムを部分的に焼き切り、線状あるいは断続状の線を入れる。
（イ）積層フィルムの中に一軸延伸されたフィルムを積層する（この場合、一軸延伸フィルムはその延伸方向が開封方向と一致するように用いる）。
（ウ）積層フィルムの内層部のフィルムにスリットを設ける（ストレートカット法）。
（エ）予め切り込み部と非切り込み部を交互に設けて断続的なミシン目状を作り、その後積層して製袋（シーラント）する。
なお、第２開封部は、自由な形状を確保しやすいレーザー光照射によって形成することが好ましい。
【００１８】
ハーフカット線を設ける場合、開封の開始箇所に切り口（図示略）を設けてもよい。切り口としては、半円形、Ｉ字形、Ｖ字形などのノッチであってもよく、スリットであっても構わない。ノッチに加えて切り込みを形成した形態でもよい。
【００１９】
上述したように、第二の開封部３は、第一の開封部２から内容物を出した後に開封されることを意図している。すなわち、内容物を出し終える前に第二の開封部３が誤って開封されると、内容物が漏洩したり、内容物を本体容器に注ぎにくい状態となってしまい、詰め替え容器としての機能を大きく損ねるおそれがある。また、開封部の設置位置によっては、スタンディング性に影響を及ぼす可能性もある。このため、第二の開封部３は、第一の開封部２が開封された後でないと開封できないようになっていることが好ましい。
【００２０】
そこで、第二の開封部３の一端３ａは、第一の開封部２の線上に位置しているか又は第一の開封部２に近接しており、第二の開封部３の他端３ｂは、パウチ１の周縁から離れた位置に設けられていることが好ましい。これにより、第二の開封部３は、第一の開封部２を開封した後に、第一の開封部２側に位置する一端３ａを起点として開封することは可能であるが、第一の開封部２を開封する前に第二の開封部３の一端３ａを起点として開封すること、および第二の開封部３の他端３ｂを起点として開封することはできなくなる。従って、第二の開封部３を開封するためには、その前に第一の開封部２を開封することが必要になり、開封順序が逆になることを防止できる。この場合、第二の開封部３を開封しても他端３ｂがパウチ１の他方の側縁部５ｂに到達しておらず、他端３ｂより外側がつながっているため、第二の開封部３の上側と第二の開封部３の下側とが別々の破片とならず、廃棄しやすさの点で好ましい。
パウチ１の側縁部５ｂには、パウチ１を構成する前記柔軟性基材が複数枚重ね合わされて熱シールされたサイドシール部８ａがあるので、第二の開封部３の他端３ｂは、サイドシール部８ａに到達しない位置に設けることが好ましい。これにより、第二の開封部３を他端３ｂ側から開封しようとしても、厚みの大きいサイドシール部８ａのため誤開封が困難になり、誤開封防止の効果が高い。
【００２１】
図１に示す例では、第二の開封部３の一端３ａは、第一の開封部２の線上に設けられている。第二の開封部３はパウチ１の上縁部６に沿って上縁部６と平行に延びており、第二の開封部３の他端３ｂは、パウチ１の他方の側縁部５ｂから離れた位置に設けられている。図１において、第一の開封部２による開封の方向と第二の開封部３による開封の方向とがなす角度は、第一の開封部２による開封の方向がパウチ１の一方の側縁部５ａから上縁部６に向かう方向である場合には角度θ1であり、第一の開封部２による開封の方向がパウチ１の上縁部６から一方の側縁部５ａに向かう方向である場合には角度θ２である。
この場合（すなわち、第二の開封部３が第一の開封部２に対してＴ字形に交差する場合）、第一の開封部２による開封方向と第二の開封部３による開封方向とがなす角度は、２０〜1６０°であることが好ましい。これにより、第一の開封部２を開封したときに同時に第二の開封部３まで切り開いてしまうことが防止される。第一の開封部２による開封方向と第二の開封部３による開封方向とがなす角度が２０°未満であるか又は１６０°を超えると、第一の開封部２を開封したときに誤って第二の開封部３まで切り開いてしまうおそれがあり、好ましくない。第一の開封部２による開封方向と第二の開封部３による開封方向とがなす角度のより好ましい範囲は、３０〜１５０°である。
【００２２】
図２に示す例では、第二の開封部３の一端３ａは、第一の開封部２に近接して距離ｄ離れた位置に設けられている。第二の開封部３はパウチ１の上縁部６に沿って上縁部６と平行に延びており、第二の開封部３の他端３ｂは、パウチ１の他方の側縁部５ｂから離れた位置に設けられている。この場合、第一の開封部２と第二の開封部３との距離ｄは、３ｍｍ以上であることが好ましい。これにより、第一の開封部２を開封したときに同時に第二の開封部３まで切り開いてしまうことが防止される。距離ｄが３ｍｍ以上である場合、第一の開封部２と第二の開封部３とがなす角度θは、特に制限する必要がない。距離ｄが３ｍｍ未満であると、第一の開封部２を開封したときに誤って第二の開封部３まで切り開いてしまうおそれがあり、好ましくない。第一の開封部２の切り口から第二の開封部３を開封するようにできるためには、第一の開封部２と第二の開封部３との距離ｄは、４ｍｍ以下が好ましい。
【００２３】
以上説明したように、本形態例のパウチ１によれば、第一の開封部２を開封して内容物を取り出した後、第二の開封部３を開封することにより、パウチ１に新たな開口部を容易に形成することができる。これにより、パウチ１の内側をきれいに洗浄して乾燥することができるので、使用済みのパウチ１をごみとして廃棄するときに適切な分別が可能となる。詰め替え時および廃棄時のいずれも手で容易に開封することができるため、ハサミやカッター等の刃物が不要である。
第二の開封部３は、第一の開封部２が開封された後でないと開封できないようになっている。従って、第一の開封部２を開封する際に、第一の開封部２とともに第二の開封部３まで開封してしまって内容物が漏洩したり、内容物を本体容器に注ぎにくい状態となってしまい、詰め替え容器としての機能を大きく損ねるという不具合を予防できる。
【００２４】
さらに、本発明のパウチの改変例を示す。
図３〜図５には、第二の開封部の一端が第一の開封部の線上に位置しているか又は第一の開封部に近接している例を示す。
図３に示すパウチ１Ａは、柔軟性基材から構成されており、パウチ１Ａの上縁部６Ａ両側の隅部にコーナーシール部８ｄが形成されており、これらコーナーシール部８ｄの間には、注ぎ口４Ａがパウチ１Ａの上側の中央部に形成されている。このパウチ１Ａでは、内容物を取り出すための第一の開封部２Ａは、上縁部６Ａと平行に、パウチ１Ａの幅方向に延在し、一方の側縁部５ａから他方の側縁部５ｂまで達している。第二の開封部３Ａは、注ぎ口４Ａ付近から一方の側縁部５ａに向かって斜めに設けられている。第二の開封部３Ａの一端３ａは、第一の開封部２Ａの線上に設けられている。また、第二の開封部３Ａの他端３ｂは、前記一方の側縁部５ａから離れた位置に設けられている。
【００２５】
図４に示すパウチ１Ｂは、柔軟性基材から構成されており、注ぎ口４Ｂがパウチ１Ｂの一方の側縁部５ａ側の隅部付近を起点として上縁部６Ｂよりも上方に突出した形状に設けられている。このパウチ１Ｂでは、内容物を取り出すための第一の開封部２Ｂは、一方の側縁部５ａから注ぎ口４Ｂを横切る位置に斜めに設けられている。第二の開封部３Ｂの一端３ａは、第一の開封部２Ｂの線上に設けられている。第二の開封部３Ｂはパウチ１Ｂの上縁部６Ｂに沿って延びており、第二の開封部３Ｂの他端３ｂは、パウチ１Ｂの他方の側縁部５ｂから離れた位置に設けられている。
【００２６】
図５に示すパウチ１Ｃは、柔軟性基材から長方形状に構成されている。第一の開封部２Ｃは、上縁部６Ｃと一方の側縁部５ａとの間にあるパウチ１Ｃの上側の隅部に斜めに形成されており、この第一の開封部２Ｃでパウチ１Ｃの隅部７Ｃを三角形状に切り離すことにより、注ぎ口４Ｃが開口するようになっている。第二の開封部３Ｃの一端３ａは、第一の開封部２Ｃの線上に設けられている。第二の開封部３Ｃはパウチ１Ｃの上縁部６Ｃに沿って上縁部６Ｃと平行に延びており、第二の開封部３Ｃの他端３ｂは、パウチ１Ｃの他方の側縁部５ｂから離れた位置に設けられている。
【００２７】
図３〜図５に示すパウチ１Ａ，１Ｂ，１Ｃにおいて、第一の開封部２Ａ，２Ｂ，２Ｃによる開封方向と第二の開封部３Ａ，３Ｂ，３Ｃによる開封方向とがなす角度θは、２０〜1６０°であることが好ましい。または、図２に示すパウチと同様に、第二の開封部３Ａ，３Ｂ，３Ｃの一端３ａは、第一の開封部２Ａ，２Ｂ，２Ｃに近接して距離ｄ離れた位置に設け、第一の開封部２Ａ，２Ｂ，２Ｃと第二の開封部３Ａ，３Ｂ，３Ｃとの距離ｄを３ｍｍ以上とすることもできる。これにより、第一の開封部２Ａ，２Ｂ，２Ｃを開封したときに同時に第二の開封部３Ａ，３Ｂ，３Ｃまで切り開いてしまうことが防止される。
洗浄や乾燥等を容易にするためには、第二の開封部３Ａ，３Ｂ，３Ｃはパウチ１Ａ，１Ｂ，１Ｃを大きく開封させる好ましい。このため、第二の開封部３Ａ，３Ｂ，３Ｃの長さＬ１は、パウチ１Ａ，１Ｂ，１Ｃの横幅内寸法Ｌ２の１／３からサイドシール部８ａまでの範囲内であることが好ましい。これにより、洗浄や乾燥等を極めて容易に行うことができる。
【００２８】
図３〜図５に示すパウチによれば、図１や図２に示すパウチと同様に、第一の開封部を開封して内容物を取り出した後、第二の開封部を開封することにより、洗浄等に利用できる新たな開口部を容易に形成することができる。従って、使用後のパウチの洗浄および乾燥が容易になる。しかも、第二の開封部は、第一の開封部が開封された後でないと開封できないようになっているので、第一の開封部とともに第二の開封部まで開封してしまって内容物が漏洩したり、内容物を本体容器に注ぎにくい状態となってしまい、詰め替え容器としての機能を大きく損ねるという不具合を予防できる。
【００２９】
図６〜図８には、第一の開封部と第二の開封部とが独立して設けられている例を示す。
図６に示すパウチ１Ｄは、柔軟性基材から構成されており、注ぎ口４Ｄがパウチ１Ｄの上側の隅部に突出した形状に設けられている。このパウチ１Ｄでは、内容物を取り出すための第一の開封部２Ｄは、注ぎ口４Ｄを横切る位置に設けられており、第二の開封部３Ｄはパウチ１Ｄの上縁部６Ｄに沿って上縁部６Ｄと平行に設けられている。
図７に示すパウチ１Ｅは、柔軟性基材から長方形状に構成されている。第一の開封部２Ｅは、パウチ１Ｅの上側の隅部に斜めに形成されており、この第一の開封部２Ｅでパウチ１Ｅの隅部７Ｅを三角形状に切り離すことにより、注ぎ口４Ｅが開口するようになっている。第二の開封部３Ｅは、第一の開封部２Ｅの下方で、上縁部６Ｅと平行に（パウチ１Ｅの幅方向に）延在している。
図８に示すパウチ１Ｆは、柔軟性基材から長方形状に構成されている。第一の開封部２Ｆは、パウチ１Ｆの上側の隅部に斜めに形成されており、この第一の開封部２Ｆでパウチ１Ｆの隅部７Ｆを三角形状に切り離すことにより、注ぎ口４Ｆが開口するようになっている。第二の開封部３Ｆは、第一の開封部２Ｆの下方で、上縁部６Ｆと垂直に（パウチ１Ｆの縦方向に）、パウチの上縁部６Ｆからトップシール部８ｃを横切り、側縁シール部８ａの内側を側縁部５ｂに平行に延び、ボトムシール部８ｂの手前まで延在している。
図６〜図８に示すパウチ１Ｄ，１Ｅ，１Ｆによれば、第一の開封部を開封して内容物を取り出した後、第二の開封部を開封することにより、洗浄等に利用できる新たな開口部を容易に形成することができる。従って、使用後のパウチの洗浄および乾燥が容易になるという効果が得られる。
【実施例】
【００３０】
（実施例１）
図１に示すように、角度θ１が、５°、１５°、２０°、３０°、６０°、９０°となるように第一の開封部２および第二の開封部３が形成されたパウチ１を作製した。それぞれの開封部２，３は、レーザー光照射によって形成した。
第一の開封部２による開封の方向は、パウチ１の一方の側縁部５ａから上縁部６に向かって開封される方向および上縁部６から一方の側縁部５ａに向かって開封される方向のいずれかとした。また、第二の開封部３による開封の方向は、第二の開封部３の一端３ａから他端３ｂに向かって開封される方向とした。
これにより、第一の開封部２による開封の方向と第二の開封部３による開封の方向とがなす角度は、第一の開封部２による開封の方向がパウチ１の一方の側縁部５ａから上縁部６に向かう方向である場合には角度θ1であり、第一の開封部２による開封の方向がパウチ１の上縁部６から一方の側縁部５ａに向かう方向である場合には角度θ２である。なお、θ２＝１８０°−θ１である。従って、本実施例において、第一の開封部２による開封の方向と第二の開封部３による開封の方向とがなす角度は、５°、１５°、２０°、３０°、６０°、９０°、１２０°、１５０°、１６０°、１６５°、１７５°のいずれかである。
【００３１】
パウチ１を構成する積層フィルムとしては、以下のサンプル１およびサンプル２に示すものを用いた。
サンプル１：ＯＮフィルム１５μｍ／接着剤／Ｌ・ＬＤＰＥフィルム１５０μｍ
サンプル２：ＰＥＴフィルム２μｍ／接着剤／ＯＮフィルム１５μｍ／接着剤／Ｌ・ＬＤＰＥフィルム１００μｍ
【００３２】
評価方法：室温にて素手により第一の開封部２を開封し、このときの第二の開封部３の状態を観察し、下記の評価基準により評価した。
評価基準：第二の開封部３の切り口に全く影響がない・・・・・・・・・・３点
第二の開封部３の切り口がわずかに切れている・・・・・・・・２点
第二の開封部３の切り口が大きく切れている・・・・・・・・・１点
【００３３】
上記パウチの評価結果を表１に示す。この評価結果から、第一の開封部２による開封の方向と第二の開封部３による開封の方向とがなす角度は、２０〜１６０°の範囲であることが好ましい。
【００３４】
【表１】
2006111315.tif 000003
【００３５】
（実施例２）
図２に示すように、第一の開封部２から第二の開封部３までの距離ｄを、０ｍｍ、１ｍｍ、２ｍｍ、３ｍｍ、４ｍｍ、５ｍｍとなるようにパウチ１を作製した。それぞれの開封部２，３は、レーザー光照射によって形成した。また、第一の開封部２による開封の方向と第二の開封部３による開封の方向とがなす角度θは１５°にした。
パウチ１を構成する積層フィルムとしては、以下のサンプル１およびサンプル２に示すものを用いた。
サンプル１：ＯＮフィルム１５μｍ／接着剤／Ｌ・ＬＤＰＥフィルム１５０μｍ
サンプル２：ＰＥＴフィルム２μｍ／接着剤／ＯＮフィルム１５μｍ／接着剤／Ｌ・ＬＤＰＥフィルム１００μｍ
【００３６】
評価方法：室温にて素手により第一の開封部２を開封し、このときの第二の開封部３の状態を観察し、下記の評価基準により評価した。
評価基準：第二の開封部３の切り口に全く影響がない・・・・・・・・・・３点
第二の開封部３の切り口がわずかに切れている・・・・・・・・２点
第二の開封部３の切り口が大きく切れている・・・・・・・・・１点
【００３７】
評価方法：室温にて素手により第一の開封部２を開封した後、第二の開封部３の開封しやすさの官能評価を行い、下記の評価基準により評価した。
評価基準：第二の開封部３が非常に開封しやすい・・・・・・・・・・・・３点
第二の開封部３がやや開封しにくい・・・・・・・・・・・・・２点
第二の開封部３が非常に開封しにくい・・・・・・・・・・・・１点
【００３８】
上記パウチの評価結果を表２に示す。この評価結果から、第一の開封部２から第二の開封部３までの距離ｄは、３ｍｍ以上４ｍｍ以下であることが好ましい。
【００３９】
【表２】
2006111315.tif 000004
【産業上の利用可能性】
【００４０】
本発明のパウチは、低粘度から高粘度の液体製品および粉末製品を包装するために利用することができる。製品の具体例としては、洗剤や洗浄剤に限定されることなく、仕上げ剤、食品、ペット製品、園芸用品、ワックス製品など、パウチ包装が可能な各種製品に適用が可能である。
【図面の簡単な説明】
【００４１】
【図１】本発明のパウチの第１形態例を示す正面図である。
【図２】本発明のパウチの第２形態例を示す正面図である。
【図３】本発明のパウチの第３形態例を示す正面図である。
【図４】本発明のパウチの第４形態例を示す正面図である。
【図５】本発明のパウチの第５形態例を示す正面図である。
【図６】本発明のパウチの第６形態例を示す正面図である。
【図７】本発明のパウチの第７形態例を示す正面図である。
【図８】本発明のパウチの第８形態例を示す正面図である。
【符号の説明】
【００４２】
１，１Ａ，１Ｂ，１Ｃ，１Ｄ，１Ｅ，１Ｆ…パウチ、
２，２Ａ，２Ｂ，２Ｃ，２Ｄ，２Ｅ，２Ｆ…第一の開封部、
３，３Ａ，３Ｂ，３Ｃ，３Ｄ，３Ｅ，３Ｆ…第二の開封部、
３ａ…第二の開封部の一端、３ｂ…第二の開封部の他端、８ａ…サイドシール部。
【図１】
2006111315.tif 000005
【図２】
2006111315.tif 000006
【図３】
2006111315.tif 000007
【図４】
2006111315.tif 000008
【図５】
2006111315.tif 000009
【図６】
2006111315.tif 000010
【図７】
2006111315.tif 000011
【図８】
2006111315.tif 000012